(57)【特許請求の範囲】
【請求項１】
カットやパーマ等を行う作業室と裏方の作業を行う準備室とを仕切る仕切壁に、使用前のタオルを収納するタオル収納部が一体的に設けられるとともに、その補充口が準備室側において開口され、その取出口が作業室側において開口されていることを特徴とする美容室のタオル収納構造。
【請求項２】
カットやパーマ等を行う作業室と裏方の作業を行う準備室とを仕切る仕切壁に、使用済みのタオルを回収するタオル回収部が一体的に設けられるとともに、その投入口が作業室側において開口され、その回収口が準備室側において開口されていることを特徴とする美容室のタオル収納構造。
【請求項３】
カットやパーマ等を行う作業室と裏方の作業を行う準備室とを仕切る仕切壁に、使用前のタオルを収納するタオル収納部と、使用済みのタオルを回収するタオル回収部とが夫々一体的に設けられるとともに、タオル収納部の補充口及びタオル回収部の回収口が準備室側において開口され、タオル収納部の取出口及びタオル回収部の投入口が作業室側において開口されていることを特徴とする美容室のタオル収納構造。
【請求項４】
タオル収納部の下方にタオル回収部が設けられ、タオル収納部の取出口とタオル回収部の投入口とが対向して配されている請求項３記載の美容室のタオル収納構造。
【請求項５】
仕切壁の作業室側に、洗髪を行うシャンプー台が設けられている請求項１乃至４記載の美容室のタオル収納構造。
【発明の詳細な説明】
【０００１】
【発明の属する技術分野】
この発明は、洗髪作業等によって多くのタオルを使用する美容室のタオル収納構造に関する。
【０００２】
【従来の技術】
一般に、カットやパーマ等を行う理容・美容室では、衛生面を考慮して、客毎にタオルを交換する。また、カット前やカット後等に行う洗髪においては、髪の毛を乾かしたり顔を拭いたりするために、一人の客に対して複数枚のタオルを使用することもある。このように、美容室ではタオルの使用頻度が高く、一日に使用されるタオルの数が数百枚に及ぶこともある。
【０００３】
【発明が解決しようとする課題】
このようなタオルの使用頻度の高い美容室では、店舗内のインテリアをすっきりさせるために、大量のタオルを客から見えないように収納しなくてはならない。また、使用済みの汚れたタオルを、客から見えない場所に回収しておかなくてはならない。さらに、新しいタオルを補充したり、使用済みのタオルを回収したりする裏方作業も、客から見えない所で、効率よく行う必要がある。
【０００４】
一方、作業室においては、洗髪等の作業の効率を高めるために、シャンプー台から近くて、簡単に取り出せる位置に、新しいタオルが収納されている必要がある。また、使用済みのタオルは、作業を行いながら簡単に片づけられなければならない。
【０００５】
ところが、現状では、大量のタオルをこのように効果的に収納・回収することができるようにはなっていなかった。そこで、この発明は、上記に鑑み、大量のタオルの収納・回収を、客に見られることなく行うことができ、作業動線の短縮及び店内のインテリア性の向上を図ることができる美容室のタオル収納構造を提供することを目的とする。
【０００６】
【課題を解決するための手段】
上記の課題を解決するため、この発明の美容室のタオル収納構造は、カットやパーマ等を行う作業室と裏方作業を行う準備室とを仕切る仕切壁に、使用前のタオルを収納するタオル収納部が一体的に設けられるとともに、その補充口が準備室側において開口され、その取出口が作業室側において開口されていることを特徴とする。また、その仕切壁に、使用済みのタオルを回収するタオル回収部が一体的に設けられるとともに、その投入口が作業室側において開口され、その回収口が準備室側において開口されていることを特徴とする。
【０００７】
さらに、カットやパーマ等を行う作業室と裏方作業を行う準備室とを仕切る仕切壁に、使用前のタオルを収納するタオル収納部と、使用済みのタオルを回収するタオル回収部とが夫々一体的に設けられるとともに、タオル収納部の補充口及びタオル回収部の回収口が準備室側において開口され、タオル収納部の取出口及びタオル回収部の投入口が作業室側において開口されていることを特徴とする。
【０００８】
具体的には、タオル収納部の下方にタオル回収部が設けられ、タオル収納部の取出口とタオル回収部の投入口とが対向して配されている。また、仕切壁の作業室側に、洗髪を行うシャンプー台が設けられている。
【０００９】
【発明の実施の形態】
以下、この発明の実施形態を図面に基づいて詳細に説明する。図に示す(３)は、カットやパーマ等を行う作業室(１)と裏方作業をする準備室(２)とを仕切る仕切壁である。この仕切壁(３)は、図１乃至３に示すように、上部収納体(４)と下部収納体(５)とで構成されており、上部収納体(４)に新しいタオルを収納するタオル収納部(６)(６)が、下部収納体(５)に使用済みのタオルを回収するタオル回収部(７)(７)が一体的に設けられている。
【００１０】
上部収納体(４)は、準備室(２)側の側面が開放した横長の箱体で、天井(８)面から適宜間隔を空けて、建物内壁(９)と構造柱(10)との間に差し渡されるようにして取り付けられている。この上部収納体(４)には、タオル収納部(６)が二箇所形成されている。各タオル収納部(６)(６)は、上部収納体(４)の上面板(11)、下面板(12)、作業室(１)側の側板(13)及び、それら上面板(11)と下面板(12)との間に差し渡された一対の仕切板(14)(14)とで形成されている。一対の仕切板(14)(14)…は、タオルの幅に合わせて適宜間隔が空けられており、そこに、折り畳まれたタオルが一枚づつ積み重ねて収容されている。なお、上部収納体(４)のタオル収納部(６)(６)以外の空間には、夫々棚板(15)(15)…が差し渡され、シャンプー等の消耗品を収容しておく収容部(16)(16)…として利用されている。
【００１１】
上部収納体(４)の準備室(２)側の開口部分は、タオル収納部(６)(６)にタオルを補充するための補充口(17)となっている。また、下面板(12)には、タオル収納部(６)(６)の位置に対応して、作業室(１)側に開口する取出口(18)(18)が夫々形成されている。これら取出口(18)(18)は、折り畳んだタオルの面積よりも小さめに形成されており、タオル収納部(６)(６)に収納されたタオルが、これら取出口(18)(18)から自然に落下することはない。
【００１２】
下部収納体(５)は、床面(19)に据え付けられた横長の箱体で、建物内壁(９)と構造柱(10)との間に差し渡されるようにして、上部収納体(４)の直下に取り付けられている。下部収納体(５)の準備室(２)側の側板(20)は、上面板(21)よりも上方に突出しており、この側板(20)の上端部が、上部収納体(４)の下面板(12)の準備室(２)側端部と当接している。したがって、上部収納体(４)と下部収納体(５)との間には隙間が空いておらず、作業室(１)側から準備室(２)の様子が見えることはない。
【００１３】
下部収納体(５)には、タオル回収部(７)(７)が二箇所形成されている。各タオル回収部(７)(７)は、下部収納体(５)の上面板(21)、下面板(22)、作業室(１)側の側板(23)、準備室(２)側の側板(20)および、それら上面板(21)と下面板(22)との間に差し渡された一対の仕切板(24)(24)によって形成されている。なお、各タオル回収部(７)(７)は、各タオル収納部(６)(６)の直下に配置されている。
【００１４】
下部収納体(５)の上面板(21)には、タオル収納部(６)の取出口(18)(18)と対向するようにしてタオル回収部(７)(７)の投入口(25)(25)が形成されており、これら投入口(25)(25)には、上下方向に開閉可能な扉(26)(26)が、蝶番(27)(27)を介して取り付けられている。また、上面板(21)の上面は、作業室(１)側においてシャンプーや道具類等を載せるカウンターとして利用されている。
【００１５】
タオル回収部(７)(７)内には、夫々の投入口(25)(25)の下方に、これら投入口(25)(25)から投入されたタオルが溜められるカゴ(28)(28)が配されている。さらに、準備室(２)側の側板(20)の下端部には、水平方向に開く扉(29)(29)が取り付けられた回収口(30)(30)が形成されている。
【００１６】
作業室(１)には、３台のシャンプー台(31)(31)…が仕切壁(３)に沿って一列に等間隔で設置されるとともに、それらシャンプー台(31)(31)…に対応して、３台の洗髪シート(32)(32)…が夫々配されている。なお、タオル収納部(６)(６)及びタオル回収部(７)(７)は、シャンプー台(31)(31)…間に配置されているので、シャンプー作業をおこないながら簡単にタオルの取出し、片づけが行える。
【００１７】
準備室(２)は、消耗品の補充や事務処理等を行う場所で、洗濯機(33)、乾燥機(34)、作業机(35)及び流し台(36)が設置されている。洗濯機(33)と乾燥機(34)は、タオルやおしぼり等の汚れ物を洗濯し、乾燥させるためのものである。また、作業机(35)は、タオルを畳んだりする作業や、事務処理に使用され、流し台(36)は、道具類の洗浄等に使用される。
【００１８】
次に、タオルの収納・回収について説明する。タオル収納部(６)(６)内に折り畳んで積み重ねられたタオルは、下から順に取出口(18)(18)…から取り出される。なお、タオル収納部(６)に収納されたタオルは、一番下のタオルだけが取出口(18)(18)…から露出した状態になっており、その露出部分を掴んで引き下ろせば、タオルを１枚だけ取り出すことができる。
【００１９】
取り出されたタオルは、使用された後、使用済みのタオルとして、投入口(25)(25)からタオル回収部(７)へ片づけられる。その際は、使用済みタオル持った手で、投入口(25)(25)の扉(26)(26)をタオル回収部(７)(７)内へ押し込むようにして開き、そのままタオルを放してタオル回収部(７)(７)内のカゴ(28)(28)へと落とす。カゴ(28)(28)に溜まった使用済みのタオルは、カゴ(28)(28)に入ったままタオル回収口(30)(30)から取り出される。
【００２０】
取り出された使用済みタオルは、カゴ(28)(28)から洗濯機(33)に移されて洗濯される。洗濯されたタオルは、乾燥機(34)で乾燥させられた後、作業机(35)の上で折り畳まれ、再び補充口(17)からタオル収納部(６)に補充される。
【００２１】
このように、使用済みタオルを回収して洗濯し、新しいタオルとして補充するまでの一連の作業は、全て準備室(２)内で行うことができて作業動線が短い。しかも、作業室(１)にいる客には、これら作業を全く見られる心配がない。
【００２２】
この発明は、上記実施形態に限定されるものではなく、この発明の範囲内で上記実施形態に多くの修正及び変更を加え得ることは勿論である。例えば、タオル回収部は、使用済みのおしぼりや汚れたエプロン等の洗濯物を回収するのに使用しても良い。
【００２３】
【発明の効果】
この発明の美容室のタオル収納構造では、作業室と準備室とを仕切る仕切壁に、タオル収納部やタオル回収部が設けられているため、作業室側にタオルの収納・回収用のボックス等を設けるときに比べて、店舗内の空間をより広く使用出来るとともに、店舗内のインテリアもすっきりとすることが出来る。
【００２４】
また、タオル収納部の補充口やタオル回収部の回収口が、準備室側に開口されているので、タオルを補充したり、回収したりする裏方作業を客に見られる心配がなく、店舗内の落ち着いた雰囲気を乱すことがない。その上、使用済みのタオルを回収して再び新しいタオルとして補充する一連の作業を、全て準備室内で行うことができるため、作業動線が大幅に短縮されて作業効率が良い。
【００２５】
さらに、タオル収納部の取出口やタオル回収部の投入口が、作業室側に開口されているので、作業室において新しいタオルを簡単に取り出すことができる。しかも、タオルの取出口に対向して投入口が開口されているので、タオルの取り出し及び片づけをほとんど場所を移動することなく行うことができ、作業室側での作業効率も高めることができる。
【００２６】
そのうえ、仕切壁の作業室側にシャンプー台が設けられているので、タオルの収納・回収をシャンプー台近くで行うことができ、タオル使用量の多い洗髪作業を効率良く行うことができる。
【図面の簡単な説明】
【図１】この発明の一実施形態に係る美容室のタオル収納構造を示す側面縦断面図である。
【図２】同じく、作業室側から見た斜視図である。
【図３】同じく、準備室側から見た斜視図である。
【図４】同じく、作業室と準備室を示す平面図である。
【符号の説明】
(１)  作業室
(２)  準備室
(３)  仕切壁
(６)  タオル収納部
(７)  タオル回収部
(17)  補充口
(18)  取出口
(25)  投入口
(30)  回収口
(31)  シャンプー台
【図１】
0003853143.tif 000002
【図２】
0003853143.tif 000003
【図３】
0003853143.tif 000004
【図４】
0003853143.tif 000005